(57)【要約】【課題】撮像者に特殊な操作を強いることなく、簡便な操作で撮像条件を撮像者に指定させることで撮像処理を実行させることが可能な撮像制御装置を提供する。【解決手段】ユーザの操作を受け付ける操作子からの信号を受け付ける受付部と、前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御部と、を備える、撮像制御装置が提供される。【選択図】図２Ａ
2014036246.tif 000002
【特許請求の範囲】
【請求項１】
ユーザの操作を受け付ける操作子からの信号を受け付ける受付部と、
前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御部と、
を備える、撮像制御装置。
【請求項２】
前記制御部は、異なる撮像条件が設定された複数の前記操作子を同時に表示部に表示させる、請求項１に記載の撮像制御装置。
【請求項３】
前記制御部は、撮像画像を表示部に表示させ、前記撮像画像に対する選択操作の後に前記操作子に対する前記第１の操作を受け付ける、請求項１に記載の撮像制御装置。
【請求項４】
前記制御部は、前記撮像画像を前記表示部に複数表示させ、前記撮像画像に対する選択操作の後に前記操作子に対する前記第１の操作を受け付けることで選択された前記撮像画像に対して前記操作子に対応する処理を実行する、請求項３に記載の撮像制御装置。
【請求項５】
前記制御部は、複数の前記撮像画像のいずれにも対応する複数の前記操作子を同時に前記表示部に表示させる、請求項４に記載の撮像制御装置。
【請求項６】
前記制御部は、前記第１の操作による撮像画像の記録の際に前記操作子の表示を変化させる、請求項１に記載の情報処理装置。
【請求項７】
前記制御部は、前記操作子をアイコンとして表示部に表示させる、請求項１に記載の撮像制御装置。
【請求項８】
ユーザの操作を受け付ける操作子からの信号を受け付ける受付ステップと、
前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御ステップと、
を備える、撮像制御方法。
【請求項９】
コンピュータに、
ユーザの操作を受け付ける操作子からの信号を受け付ける受付ステップと、
前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御ステップと、
を実行させる、コンピュータプログラム。
【請求項１０】
ユーザの操作を受け付ける操作子からの信号を受け付ける受付部と、
前記操作子に対する第１の操作に基づいて所定の撮像条件での撮像画像の記録を制御し、前記操作子に対する第２の操作に基づいて、前記撮像条件を設定するためのメニューを前記操作子と対応づけて表示部に表示するように制御する制御部と、
を備える、撮像制御装置。
【請求項１１】
前記制御部は、異なる撮像条件が設定された複数の前記操作子を同時に前記表示部に表示させる、請求項１０に記載の撮像制御装置。
【請求項１２】
前記制御部は、撮像画像を前記表示部に表示させ、前記撮像画像に対する選択操作の後に前記操作子に対する前記第１の操作を受け付ける、請求項１０に記載の撮像制御装置。
【請求項１３】
前記制御部は、前記操作子をアイコンとして前記表示部に表示させる、請求項１０に記載の撮像制御装置。
【請求項１４】
ユーザの操作を受け付ける操作子からの信号を受け付ける受付ステップと、
前記操作子に対する第１の操作に基づいて所定の撮像条件での撮像画像の記録を制御し、前記操作子に対する第２の操作に基づいて、前記撮像条件を設定するためのメニューを前記操作子と対応づけて表示部に表示するように制御する制御ステップと、
を備える、撮像制御方法。
【請求項１５】
ユーザの操作を受け付け、それぞれ異なる撮像条件で撮像画像の記録を制御するための複数の操作子からの信号を受け付ける受付部と、
複数の撮像画像を表示部に表示し、前記表示部に表示される撮像画像が選択された後に前記操作子に対する第１の操作を受け付けると、選択された該撮像画像に対して前記第１の操作を受け付けた前記操作子に対応する処理を行うように制御する制御部と、
を備える、撮像制御装置。
【請求項１６】
ユーザの操作を受け付け、それぞれ異なる撮像条件で撮像画像の記録を制御するための複数の操作子からの信号を受け付ける受付ステップと、
複数の撮像画像を表示部に表示し、前記表示部に表示される撮像画像が選択された後に前記操作子に対する第１の操作を受け付けると、選択された該撮像画像に対して前記第１の操作を受け付けた前記操作子に対応する処理を行うように制御する制御ステップと、
を備える、撮像制御方法。
【発明の詳細な説明】
【技術分野】
【０００１】
本開示は、撮像制御装置、撮像制御方法及びコンピュータプログラムに関する。
【背景技術】
【０００２】
デジタルカメラで画像を撮像する際に、シャッタ速度、絞り、画像サイズ等の撮像条件を予め設定しておくことが一般的に行われており、撮像者がシャッタボタンを押下すると、予め設定された撮像条件によって撮像処理が実行される。またデジタルカメラ、複数の設定を予めデジタルカメラの複数の専用のボタンに登録しておき、撮像時に設定を読み出すことで、設定の手間を省くことも行われている。
【０００３】
また、特許文献１では、シャッタの複数段の操作段階に、撮像に関連した機能を対応付けることで、撮像と同時に撮像条件の決定を行う技術が開示されている。
【先行技術文献】
【特許文献】
【０００４】
【特許文献１】特開２００６−５０４１９号公報
【発明の概要】
【発明が解決しようとする課題】
【０００５】
しかし、予め撮像条件を設定したり、複数の専用のボタンに登録した撮像条件を呼び出したりする方法は、条件を変更しての撮像が撮像者にとって煩わしい。また上記特許文献１の技術は、撮像条件の設定と撮像が同時に行えるが、個々の撮像条件の選択のためのタイミングと撮像のタイミングが合うとは限らず、撮像機会を逃してしまう場合がある。また上記特許文献１の技術は、シャッタボタンの半押し（ハーフシャッタ）などの状態に保持しなければならない時間が長くなることで、撮像操作が難しくなり、また事前に設定する項目自体の設定も必要であった。
【０００６】
そこで、本開示は、撮像者に特殊な操作を強いることなく、簡便な操作で撮像条件を撮像者に指定させて撮像処理を実行させることが可能な、新規かつ改良された撮像制御装置、撮像制御方法及びコンピュータプログラムを提供する。
【課題を解決するための手段】
【０００７】
本開示によれば、ユーザの操作を受け付ける操作子からの信号を受け付ける受付部と、前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御部と、を備える、撮像制御装置が提供される。
【０００８】
また本開示によれば、ユーザの操作を受け付ける操作子からの信号を受け付ける受付ステップと、前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御ステップと、を備える、撮像制御方法が提供される。
【０００９】
また本開示によれば、コンピュータに、ユーザの操作を受け付ける操作子からの信号を受け付ける受付ステップと、前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御ステップと、を実行させる、コンピュータプログラムが提供される。
【００１０】
また本開示によれば、ユーザの操作を受け付ける操作子からの信号を受け付ける受付部と、前記操作子に対する第１の操作に基づいて所定の撮像条件での撮像画像の記録を制御し、前記操作子に対する第２の操作に基づいて、前記撮像条件を設定するためのメニューを前記操作子と対応づけて表示部に表示するように制御する制御部と、を備える、撮像制御装置が提供される。
【００１１】
また本開示によれば、ユーザの操作を受け付ける操作子からの信号を受け付ける受付ステップと、前記操作子に対する第１の操作に基づいて所定の撮像条件での撮像画像の記録を制御し、前記操作子に対する第２の操作に基づいて、前記撮像条件を設定するためのメニューを前記操作子と対応づけて表示部に表示するように制御する制御ステップと、を備える、撮像制御方法が提供される。
【００１２】
また本開示によれば、ユーザの操作を受け付け、それぞれ異なる撮像条件で撮像画像の記録を制御するための複数の操作子からの信号を受け付ける受付部と、複数の撮像画像を表示部に表示し、前記表示部に表示される撮像画像が選択された後に前記操作子に対する第１の操作を受け付けると、選択された該撮像画像に対して前記第１の操作を受け付けた前記操作子に対応する処理を行うように制御する制御部と、を備える、撮像制御装置が提供される。
【００１３】
また本開示によれば、ユーザの操作を受け付け、それぞれ異なる撮像条件で撮像画像の記録を制御するための複数の操作子からの信号を受け付ける受付ステップと、複数の撮像画像を表示部に表示し、前記表示部に表示される撮像画像が選択された後に前記操作子に対する第１の操作を受け付けると、選択された該撮像画像に対して前記第１の操作を受け付けた前記操作子に対応する処理を行うように制御する制御ステップと、を備える、撮像制御方法が提供される。
【発明の効果】
【００１４】
以上説明したように本開示によれば、撮像者に特殊な操作を強いることなく、簡便な操作で撮像条件を撮像者に指定させて撮像処理を実行させることが可能な、新規かつ改良された撮像制御装置、撮像制御方法及びコンピュータプログラムを提供することができる。
【図面の簡単な説明】
【００１５】
【図１】従来技術について示す説明図である。
【図２Ａ】本開示の一実施形態に係る撮像装置１００の外観例を示す説明図である。
【図２Ｂ】本開示の一実施形態に係る撮像装置１００の変形例を示す説明図である。
【図２Ｃ】本開示の一実施形態に係る撮像装置１００の変形例を示す説明図である。
【図３】本開示の一実施形態に係る撮像装置１００の機能構成例を示す説明図である。
【図４】本開示の一実施形態に係る撮像装置１００の動作例を示す流れ図である。
【図５】本開示の一実施形態に係る撮像装置１００の表示部１１０に表示される画面の例を示す説明図である。
【図６】本開示の一実施形態に係る撮像装置１００の表示部１１０に表示される画面の例を示す説明図である。
【図７Ａ】本開示の一実施形態に係る撮像装置１００の表示部１１０に表示される画面の例を示す説明図である。
【図７Ｂ】本開示の一実施形態に係る撮像装置１００の表示部１１０に表示される画面の例を示す説明図である。
【図７Ｃ】本開示の一実施形態に係る撮像装置１００の表示部１１０に表示される画面の例を示す説明図である。
【図７Ｄ】本開示の一実施形態に係る撮像装置１００の表示部１１０に表示される画面の例を示す説明図である。
【図７Ｅ】本開示の一実施形態に係る撮像装置１００の表示部１１０に表示される画面の例を示す説明図である。
【図８】本開示の一実施形態に係る撮像装置１００の動作例を示す流れ図である。
【図９】本開示の一実施形態に係る撮像装置１００の表示部１１０に表示される画面の例を示す説明図である。
【図１０】本開示の一実施形態に係る撮像装置１００の動作例を示す流れ図である。
【図１１】本開示の一実施形態に係る撮像装置１００の動作例を示す流れ図である。
【図１２】本開示の一実施形態に係る撮像装置１００の表示部１１０に表示される画面の例を示す説明図である。
【図１３】本開示の一実施形態に係る撮像装置１００の表示部１１０に表示される画面の例を示す説明図である。
【図１４】本開示の一実施形態に係る撮像装置１００の動作例を示す流れ図である。
【図１５】本開示の一実施形態に係る撮像装置１００の動作例を示す流れ図である。
【図１６】本開示の一実施形態に係る撮像装置１００の表示部１１０に表示される画面の例を示す説明図である。
【図１７】本開示の一実施形態に係る撮像装置１００の表示部１１０に表示される画面の例を示す説明図である。
【図１８】本開示の一実施形態に係る撮像装置１００の表示部１１０に表示される画面の例を示す説明図である。
【図１９】本開示の一実施形態に係る撮像装置１００の表示部１１０に表示される画面の例を示す説明図である。
【図２０】撮像ボタン１３１、１３２の表示例を示す説明図である。
【図２１】撮像ボタン１３１、１３２の表示例を示す説明図である。
【図２２】本開示の一実施形態に係る撮像装置１００が表示部１１０に表示させる撮影条件の設定項目の例である。
【図２３】撮像ボタン１３１、１３２の表示例を示す説明図である。
【図２４】本開示の一実施形態に係る撮像装置１００の動作例を示す流れ図である。
【図２５】本開示の一実施形態に係る撮像装置１００の表示部１１０に表示される画面の例を示す説明図である。
【図２６Ａ】本開示の一実施形態に係る撮像装置１００の表示部１１０に表示される画面の例を示す説明図である。
【図２６Ｂ】本開示の一実施形態に係る撮像装置１００の表示部１１０に表示される画面の例を示す説明図である。
【図２６Ｃ】本開示の一実施形態に係る撮像装置１００の表示部１１０に表示される画面の例を示す説明図である。
【図２６Ｄ】本開示の一実施形態に係る撮像装置１００の表示部１１０に表示される画面の例を示す説明図である。
【図２７】本開示の一実施形態に係る撮像装置１００の表示部１１０に表示される画面の例を示す説明図である。
【図２８】本開示の一実施形態に係る撮像装置１００の表示部１１０に表示される画面の例を示す説明図である。
【図２９】本開示の一実施形態に係る撮像装置１００の表示部１１０に表示される画面の例を示す説明図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
＜１．従来技術の説明＞
＜２．本開示の一実施形態＞
［撮像装置の外観例］
［撮像装置の機能構成例］
［撮像装置の動作例］
＜３．まとめ＞
【００１８】
＜１．従来技術の説明＞
まず、本開示の好適な実施の形態について詳細に説明する前に、従来技術について説明する。従来技術について説明した後に、本開示の好適な実施の形態について詳細に説明する。
【００１９】
図１は、シャッタの複数段の操作段階に、撮像に関連した機能を対応付けることで、撮像と同時に撮像条件の決定を行う従来技術について示す説明図である。この従来技術では、画像をデジタルデータとして記録する撮像装置１のシャッタボタン１０が撮像者によってハーフシャッタ状態にされると、予め設定された項目（図１に示した例では、露出補正値）の設定画面が表示され、設定値が変化して画面２に表示される。そして、所望の設定値になった時点でシャッタボタン１０が撮像者によって押し込まれると、撮像装置１は、撮像処理の実行と撮像条件の設定を行なう。なお撮像処理とは、静止画像または動画像をデジタルデータとして記録するための処理を言うものとする。
【００２０】
しかし、このように撮像条件を設定する場合は、設定したい値になるタイミングと、撮像のタイミングとが一致しないと、撮像者は撮像処理を実行することができない。従って撮像者が撮像機会を逃してしまうおそれがある。またこの技術は、シャッタボタンをハーフシャッタ状態に保持しなければならない時間が長くなることで、撮像者の撮像操作が難しくなり、また事前に設定する項目自体の設定（図１では、設定する項目として予め露出補正値が設定されていなければならない）も必要であった。
【００２１】
そこで、以下で説明する本開示の一実施形態では、撮像者に特殊な操作を強いることなく、簡便な操作で撮像条件を撮像者に指定させることで撮像処理を実行させることが可能な技術について説明する。
【００２２】
＜２．本開示の一実施形態＞
［撮像装置の外観例］
図２Ａは、本開示の一実施形態に係る撮像装置１００の外観例を示す説明図である。本開示の一実施形態に係る撮像装置１００は、画像をデジタルデータとして記録する装置である。図２Ａには、撮像装置１００を背面側から示した状態が図示されている。撮像装置１００は、タッチパネルを有する表示部１１０を備えており、撮像装置１００を使用して画像を撮像する撮像者は、表示部１１０を指等の操作部材で触ることで撮像装置１００を操作することが出来る。
【００２３】
本開示の一実施形態に係る撮像装置１００は、操作子として、表示部１１０にカメラ型のアイコンで示される操作ボタン１３１を表示させて、撮像者にその操作ボタン１３１を触らせることで、撮像者からの操作を受け付ける。本開示の一実施形態に係る撮像装置１００は、表示部１１０に表示させた操作ボタン１３１に対する撮像者からの操作に基づいた処理を実行する。
【００２４】
本開示の一実施形態に係る撮像装置１００は、撮像処理を実行するための操作ボタン１３１に、撮像者に撮像条件の設定を行わせるための機能や、設定された撮像条件を表示部１１０に表示するための機能を持たせる。すなわち本開示の一実施形態に係る撮像装置１００は、撮像処理を実行するための操作ボタン１３１に、撮像条件の設定や撮像条件の表示を関連付ける。本開示の一実施形態に係る撮像装置１００は、このように操作ボタン１３１を表示部１１０に表示させることで、撮像者に特殊な操作を強いることなく、簡便な操作で撮像条件を撮像者に指定させて、撮像処理を撮像者に実行させることができる。
【００２５】
なお、図２Ａでは、撮像装置１００自体に表示部１１０が設けられているものを図示したが、本開示は係る例に限定されない。図２Ｂ及び図２Ｃは、本開示の一実施形態に係る撮像装置１００の変形例を示す説明図である。
【００２６】
図２Ｂには、撮像処理を実行する撮像装置１００’と、操作子を表示し、撮像装置１００’を操作するための、タッチパネルを有する表示装置１１０’とが図示されている。撮像装置１００’と、表示装置１１０’とは、有線または無線で接続されている。図２Ｂには、表示装置１１０’に操作子を表示させて、撮像者にその操作子を触らせることで、撮像装置１００’を動作させる変形例が図示されている。
【００２７】
図２Ｃには、画像を記録する画像記録装置１００’’と、操作子を表示し、画像記録装置１００’’を操作するための、タッチパネルを有する表示装置１１０’’とが図示されている。画像記録装置１００’’は、例えばテレビジョン放送を受信し、番組を録画する機能を有するテレビジョン受像機やハードディスクレコーダ等である。画像記録装置１００’’と、表示装置１１０’’との間は、有線または無線で接続されている。図２Ｃには、表示装置１１０’’に操作子を表示させて、撮像者にその操作子を触らせることで、画像記録装置１００’’を動作させる変形例が図示されている。
【００２８】
本開示に係る技術は、図２Ｂや図２Ｃに示したように、実際の処理を実行する装置と、その装置を操作するための装置とが分かれていても同様に適用可能である。
【００２９】
以上、本開示の一実施形態に係る撮像装置１００の外観例について説明した。次に、本開示の一実施形態に係る撮像装置１００の機能構成例について説明する。
【００３０】
［撮像装置の機能構成例］
図３は、本開示の一実施形態に係る撮像装置１００の機能構成例を示す説明図である。以下、図３を用いて本開示の一実施形態に係る撮像装置１００の機能構成例について説明する。
【００３１】
図３に示したように、本開示の一実施形態に係る撮像装置１００は、撮像部１０２と、撮像素子Ｉ／Ｆ１０４と、信号処理前処理部１０６と、信号処理部１０８と、表示部１１０と、表示処理部１１２と、姿勢検出部１１４と、制御部１１６と、揮発性記憶部１１８と不揮発性記憶Ｉ／Ｆ１２０と、不揮発性記憶部１２２と、入力処理部１２４と、入力部１２６と、を含んで構成される。
【００３２】
撮像部１０２は、レンズ、ＣＣＤ（Ｃｈａｒｇｅ  Ｃｏｕｐｌｅｄ  Ｄｅｖｉｃｅ）やＣＭＯＳ（ＣｏｍｐｌｅｍｅｎｔａｒｙＭｅｔａｌ  Ｏｘｉｄｅ  Ｓｅｍｉｃｏｎｄｕｃｔｏｒ）などの固体撮像素子からなるイメージャ、イメージ・センサへの露光タイミング等を制御するタイミングジェネレータ、サンプルホールド回路、イメージャへの露光により得られる画像の元データを後段の回路に提供するためのインタフェース部などで構成される。撮像部１０２で得られる画像の元データは、撮像素子Ｉ／Ｆ１０４を介して信号処理前処理部１０６に供給される。
【００３３】
信号処理前処理部１０６は、撮像部１０２から撮像素子Ｉ／Ｆ１０４を介して送られてきた画像の元データに対して、前処理として、例えばベイヤー配列の画像データを補間することでＹＣデータを生成したり、ＹＣデータに対して解像度の変換や輪郭の強調等の所定の画像処理を実行したりする処理を実行する。信号処理前処理部１０６は、画像の元データに対する前処理を実行すると、処理後の画像データを揮発性記憶部１１８に供給する。
【００３４】
信号処理部１０８は、信号処理前処理部１０６によって前処理が施され、揮発性記憶部１１８に記憶された画像データに対する信号処理を実行する。信号処理部１０８が実行する信号処理は、例えば表示部１１０に表示するための画像サイズの変更処理や、不揮発性記憶部１２２へ記憶させるための画像の圧縮処理等である。信号処理部１０８は、画像データに対する信号処理を行なうと、信号処理後のデータを表示処理部１１２や不揮発性記憶Ｉ／Ｆ１２０に供給する。
【００３５】
表示部１１０は、表示処理部１１２から供給されるデータに基づいて画像を表示する。なお表示部１１０には、撮像部１０２が撮像した画像の他、各種設定情報が表示される。表示部１１０は、例えば液晶ディスプレイパネルや有機ＥＬパネルなどで構成される。なお、表示部１１０の表示面にはタッチパネルが設けられていても良い。
【００３６】
表示処理部１１２は、表示部１１０への画像の表示処理を実行する。表示処理部１１２は、例えば、信号処理部１０８で画像サイズの変更処理が行われた画像データを表示部１１０へ表示する処理を実行する。また表示処理部１１２は、撮像者による入力部１２６の操作に基づいたメニューやアイコン等の表示部１１０への表示処理を実行する。
【００３７】
姿勢検出部１１４は、撮像装置１００の筐体の姿勢を検出する。姿勢検出部１１４は、例えば１軸〜３軸の加速度センサで構成され、加速度の値によって撮像装置１００の筐体の姿勢を検出する。姿勢検出部１１４が撮像装置１００の筐体の姿勢を検出することで、表示処理部１１２は、表示部１１０へ表示する画像の向きを縦向きか横向きのいずれかに変化させることができる。
【００３８】
制御部１１６は、撮像装置１００の動作のための各種演算処理や制御処理を実行する。制御部１１６が実行する演算処理や制御処理は、例えば、入力部１２６への撮像者の入力操作を検出する処理や、検出した入力操作に応じた時間の計時や、表示部１１０に表示するメニューやアイコンの描画のための演算処理等がある。制御部１１６は、表示部１１０に表示するメニューやアイコンの描画のための演算に、姿勢検出部１１４が検出した撮像装置１００の筐体の姿勢の情報を用いても良い。制御部１１６は、撮像装置１００の動作のための各種演算処理や制御処理のために揮発性記憶部１１８をワークメモリとして用いる。
【００３９】
制御部１１６は、上述したような機能を操作ボタン１３１に与えるための制御を実行する。すなわち、制御部１１６は、撮像処理を実行するための操作ボタン１３１に、撮像者に撮像条件の設定を行わせるための機能や、設定された撮像条件を表示部１１０に表示するための機能を持たせるよう制御する。すなわち制御部１１６は、撮像処理を実行するための操作ボタン１３１に、撮像条件の設定や撮像条件の表示を関連付けるよう制御する。
【００４０】
揮発性記憶部１１８は、上述したように、信号処理前処理部１０６によって前処理が施された画像データを一時的に記憶するメモリである。また揮発性記憶部１１８は、上述したように、制御部１１６が撮像装置１００の動作のための各種演算処理や制御処理のために用いるワークメモリである。
【００４１】
不揮発性記憶Ｉ／Ｆ１２０は、ＦＡＴ（Ｆｉｌｅ  Ａｌｌｏｃａｔｉｏｎ  Ｔａｂｌｅｓ）などのファイルシステムを含む。不揮発性記憶Ｉ／Ｆ１２０は、信号処理部１０８から供給される画像データを、例えばＭＰＥＧ等の記録形式に変換し、ファイルシステムを通して不揮発性記憶部１２２に記録する。
【００４２】
不揮発性記憶部１２２は、例えば撮像装置１００に内蔵された、または撮像装置１００から着脱可能な記録メディアであり、例えばハードディスクドライブ、フラッシュメモリを内蔵したメモリカードなどで構成される。不揮発性記憶部１２２には、撮像装置１００の撮像処理の結果生成される静止画像または動画像のデータが記憶される。
【００４３】
入力処理部１２４は、入力部１２６からの信号を制御部１１６に送ることで、入力部１２６に対する撮像者の入力操作の内容を制御部１１６に供給する。従って、入力処理部１２４は、本開示の受付部の一例である。入力部１２６は、撮像装置１００を操作するための各種スイッチやボタンで構成される。撮像装置１００を操作するためのスイッチやボタンには、例えば、電源ボタン、シャッタボタン、ズームボタン（またはズームキー）、各種設定を行わせるためのボタン等が含まれる。なお、本実施形態では、表示部１１０の表示面にタッチパネルが設けられており、そのタッチパネルも入力部１２６に含まれる。入力部１２６に対する撮像者の操作によって生成された信号は、入力処理部１２４で受け付けられ、入力処理部１２４から制御部１１６に送られる。
【００４４】
本開示の一実施形態に係る撮像装置１００は、図３に示したような構成を有することで、上述したように、撮像者に特殊な操作を強いることなく、簡便な操作で撮像条件を撮像者に指定させて、撮像処理を撮像者に実行させることができる。
【００４５】
以上、図３を用いて本開示の一実施形態に係る撮像装置１００の機能構成例について説明した。なお、図２Ｂや図２Ｃに示したような変形例の場合は、少なくとも、図３に示した制御部１１６が表示装置１１０’や表示装置１１０’’に含まれる。
【００４６】
次に、本開示の一実施形態に係る撮像装置１００の動作例について説明する。
【００４７】
［撮像装置の動作例］
図４は、本開示の一実施形態に係る撮像装置１００の動作例を示す流れ図である。また、図５は、本開示の一実施形態に係る撮像装置１００の表示部１１０に表示される画面の例を示す説明図である。図４には、撮像装置１００の表示部１１０に操作子を表示させ、その操作子に対して撮像者から操作入力があった場合の、撮像装置１００の動作例が示されている。そして図５には、表示部１１０に表示されている操作子の例として、カメラのアイコンで規定された撮像ボタン１３１が示されている。この撮像ボタン１３１は撮像処理を実行するためのボタンであるが、特定の条件を満たしている場合は、撮像処理とは異なる処理を実行するためのボタンである。以下、図４及び図５を用いて本開示の一実施形態に係る撮像装置１００の動作例について説明する。
【００４８】
まず撮像装置１００は、撮像者からの入力部１２６に対する操作を検出するまで制御部１１６で待機する（ステップＳ１０１）。そして、撮像者からの入力部１２６に対する操作を制御部１１６が検出すると、続いて撮像装置１００は、その撮像者からの入力部１２６に対する操作が、表示部１１０に表示されている、撮像部１０２において撮像中のカメラスルー画像へのタッチかどうかを制御部１１６で判断する（ステップＳ１０２）。
【００４９】
なお以下の説明では、撮像部１０２において撮像中のカメラスルー画像のことを「ＥＥ画」（Ｅｌｅｃｔｒｉｃ  ｔｏ  Ｅｌｅｃｔｒｉｃ；非撮像記録時に、撮像素子から出力された画像を、ファインダー、または、液晶パネルに表示している画像）とも称する。
【００５０】
上記ステップＳ１０２の制御部１１６での判断の結果、撮像者からの入力部１２６に対する操作が表示部１１０に表示されているＥＥ画へのタッチであった場合は、続いて撮像装置１００は、そのタッチ位置にフォーカスを合わせるように制御部１１６で制御する（ステップＳ１０３）。タッチ位置にフォーカスが合わせられると、続いて撮像装置１００は、時間の計測を制御部１１６で開始する（ステップＳ１０４）。なお、既に時間の計測が開始済みであれば、制御部１１６は、計測した時間をリセットして最初から計測し直す。時間の計測を制御部１１６で開始すると、撮像装置１００は上記ステップＳ１０１の処理へ戻る。
【００５１】
上記ステップＳ１０２の制御部１１６での判断の結果、撮像者からの入力部１２６に対する操作が表示部１１０に表示されているＥＥ画へのタッチで無かった場合は、次に撮像装置１００は、撮像者からの入力部１２６に対する操作が表示部１１０に表示されている撮像ボタン１３１のタッチかどうかを制御部１１６で判断する（ステップＳ１０５）。
【００５２】
上記ステップＳ１０５の判断の結果、撮像者からの入力部１２６に対する操作が表示部１１０に表示されている撮像ボタン１３１のタッチであると制御部１１６が判定すると、続いて撮像装置１００は、上記ステップＳ１０４で時間計測が開始されてから所定時間内かどうかを制御部１１６で判断する（ステップＳ１０６）。ステップＳ１０６の判断の結果、上記ステップＳ１０４で時間計測が開始されてから所定時間内であると制御部１１６が判定すると、続いて撮像装置１００は、タッチされた撮像ボタン１３１に紐付く設定内容による撮像処理を実行するよう制御部１１６で制御する（ステップＳ１０７）。
【００５３】
一方、ステップＳ１０６の判断の結果、上記ステップＳ１０４で時間計測が開始されていない、または開始されていても、開始から所定時間内では無いと制御部１１６が判定すると、続いて撮像装置１００は、設定項目のメニューを表示部１１０に開くように制御部１１６で制御する（ステップＳ１０８）。撮像装置１００の撮像者は、ステップＳ１０８で表示部１１０に表示された設定項目のメニューに対して操作することで、設定項目を設定する（ステップＳ１０９）。
【００５４】
続いて撮像装置１００は、表示部１１０に表示された撮像ボタン１３１が撮像者にタッチされるまで待機する（ステップＳ１１０）。そしてステップＳ１１０の判断の結果、撮像者からの入力部１２６に対する操作が表示部１１０に表示されている撮像ボタン１３１のタッチであれば、撮像装置１００は、表示部１１０に表示されている設定項目のメニューを閉じるよう制御部１１６で制御すると共に、設定項目に応じて、撮像ボタン１３１に紐付けられた設定項目を更新するよう制御部１１６で制御する（ステップＳ１１１）。また後述するように、撮像ボタン１３１に付属表示がされていれば、付属表示の内容を更新するよう制御部１１６で制御しても良い。
【００５５】
上記ステップＳ１０５での判断の結果、撮像者からの入力部１２６に対する操作が表示部１１０に表示されている撮像ボタン１３１のタッチで無かった場合、上記ステップＳ１０７の撮像処理が終了した場合、または上記ステップＳ１１１の更新処理が終了した場合は、撮像装置１００は、上記ステップＳ１０４で時間の計測を開始していれば、時間の計測を終了するように制御部１１６で制御する（ステップＳ１１２）。
【００５６】
図５を用いて、上述の処理をより詳細に説明する。なお図５は、図面の左から右に、また上から下に時間が流れているものとする。撮像者が、指やペンなどを用いて表示部１１０に表示されている撮像ボタン１３１にタッチすると、制御部１１６は、設定項目のメニューを表示部１１０に開くように制御する。撮像者は、指やペンなどを用いて表示部１１０に表示されている設定項目のメニューをタッチすることで、撮像処理時の設定を変更することができる。図５に示した例では、「画サイズ」の項目を選択することで、「画サイズ」を「Ｌ」から「Ｍ」に変更する場合が示されており、図４のステップＳ１１０の処理に相当するものである。なお、「画サイズ」の項目は、撮像処理で得られる画像のサイズを設定するものである。
【００５７】
「画サイズ」の項目を選択して、「画サイズ」を「Ｌ」から「Ｍ」に変更すると、再び制御部１１６は、設定項目のメニューを表示部１１０に開くように制御する。そして、撮像者が、指やペンなどを用いて表示部１１０に表示されている撮像ボタン１３１にタッチすると、制御部１１６は、表示部１１０に表示した設定項目のメニューを閉じるように制御する。これは、図４のステップＳ１１１の処理に相当するものである。
【００５８】
撮像者が、指やペンなどを用いて表示部１１０に表示されているＥＥ画にタッチすると、タッチ位置にフォーカスを合わせるように制御部１１６で制御する。これは、図４のステップＳ１０３の処理に相当するものである。さらにＥＥ画のタッチから所定時間以内に撮像ボタン１３１にタッチすると、制御部１１６は、タッチされた撮像ボタン１３１に紐付く設定内容による撮像処理を実行するように制御する。これは、図４のステップＳ１０７の処理に相当するものである。
【００５９】
本開示の一実施形態に係る撮像装置１００は、このように動作することで、撮像ボタン１３１に撮像条件の設定を対応させることができる。撮像ボタン１３１に撮像条件の設定を対応させることで、撮像者に特殊な操作を強いることなく、簡便な操作で撮像条件を撮像者に指定させることで撮像処理を実行させることができる。
【００６０】
図５では、撮像装置１００で静止画像を撮像する場合の、表示部１１０に表示される画面の例を示した。次に、撮像装置１００で動画像を撮像する場合の、表示部１１０に表示される画面の例を示す。図６は、本開示の一実施形態に係る撮像装置１００の表示部１１０に表示される画面の例を示す説明図である。図６では、途中の撮像処理時の設定の変更で、静止画像の撮像から動画像の撮像に変更する場合における、表示部１１０に表示される画面の例が示されている。
【００６１】
撮像者が、指やペンなどを用いて表示部１１０に表示されている設定項目のメニューをタッチして、静止画像の撮像から動画像の撮像に切り替えたとすると（中段左）、制御部１１６は、別のアイコンによる撮像ボタン１３２を表示部１１０に表示するように制御する。制御部１１６は、静止画像の撮像の場合と動画像の撮像の場合とで表示するボタンを切り替えることで、撮像者に対して静止画像の撮像か動画像の撮像かを分かりやすく提示することが出来る。
【００６２】
撮像装置１００は、撮像ボタン１３１、１３２の近傍に、その撮像ボタン１３１、１３２に紐付いている設定の全部又は少なくとも一部や、撮像処理に関する情報を表示させるようにしても良い。図７Ａ及び図７Ｂは、本開示の一実施形態に係る撮像装置１００の表示部１１０に表示される画面の例を示す説明図である。
【００６３】
図７Ａには、静止画像を撮像するための撮像ボタン１３１の下に、その撮像ボタン１３１に紐付いている設定の一部と、撮像処理に関する情報として撮像可能枚数が表示部１１０に表示されている例が示されている。また図７Ｂには、動画像を撮像するための撮像ボタン１３２の下に、その撮像ボタン１３２に紐付いている設定の一部と、撮像処理に関する情報として撮像可能時間が表示部１１０に表示されている例が示されている。このように、撮像ボタン１３１、１３２の近傍に、その撮像ボタン１３１、１３２に紐付いている設定の全部又は少なくとも一部を表示させることで、撮像装置１００は、その撮像ボタン１３１、１３２がどのような設定で撮像処理を実行するのかを撮像者に対して分かりやすく提示することが出来る。
【００６４】
ここまでは、表示部１１０に１つの撮像ボタン１３１、１３２のみを表示する例を説明したが、本開示は係る例に限定されるものではない。例えば、表示部１１０に複数の撮像ボタンを同時に表示させるようにしても良い。
【００６５】
図７Ｃ及び図７Ｄは、本開示の一実施形態に係る撮像装置１００の表示部１１０に表示される画面の例を示す説明図である。図７Ｃには、静止画像を撮像するための２つの撮像ボタン１３１ａ、１３１ｂが同時に表示部１１０に表示されており、それぞれの撮像ボタン１３１ａ、１３１ｂの下に、その撮像ボタン１３１ａ、１３１ｂに紐付いている設定の一部と、撮像処理に関する情報として撮像可能枚数が表示部１１０に表示されている例が示されている。図７Ｄには、動画像を撮像するための２つの撮像ボタン１３２ａ、１３２ｂが同時に表示部１１０に表示されており、それぞれの撮像ボタン１３２ａ、１３２ｂの下に、その撮像ボタン１３２ａ、１３２ｂに紐付いている設定の一部と、撮像処理に関する情報として撮像可能時間が表示部１１０に表示されている例が示されている。このように、複数の撮像ボタンを同時に表示部１１０に表示させ、それぞれの撮像ボタンに対して異なる撮像条件を紐付けることで、撮像装置１００は、撮像者に対して、設定の切り替えの手間を極力省略させることができる。
【００６６】
もちろん、撮像装置１００は、静止画像を撮像するための撮像ボタンと、動画像を撮像するための撮像ボタンとを、同時に表示部１１０に表示させても良い。図７Ｅは、本開示の一実施形態に係る撮像装置１００の表示部１１０に表示される画面の例を示す説明図である。図７Ｅには、静止画像を撮像するための撮像ボタン１３１と、動画像を撮像するための撮像ボタン１３２とが同時に表示部１１０に表示されており、それぞれの撮像ボタン１３１、１３２の下に、その撮像ボタン１３１、１３２に紐付いている設定の一部と、撮像処理に関する情報として撮像可能枚数や撮像可能時間が表示部１１０に表示されている例が示されている。
【００６７】
ここまでは、表示部１１０に１つのＥＥ画を表示する例を説明したが、本開示は係る例に限定されるものではない。例えば、撮像装置１００は、複数のＥＥ画を同時に表示部１１０に表示させても良い。この複数のＥＥ画は、同じ撮像部１０２による異なる画像（例えば通常画と拡大画）から生成されてもよく、撮像装置１００に異なる複数の撮像部１０２が設けられていれば、その複数の撮像部１０２による複数の画像から生成されてもよい。以下では、表示部１１０に複数のＥＥ画を表示する場合の撮像装置１００の動作例について説明する。
【００６８】
図８は、本開示の一実施形態に係る撮像装置１００の動作例を示す流れ図である。また、図９は、本開示の一実施形態に係る撮像装置１００の表示部１１０に表示される画面の例を示す説明図である。図８には、撮像装置１００の表示部１１０に操作子を表示させ、その操作子に対して撮像者から操作入力があった場合の、撮像装置１００の動作例が示されている。そして図９には、表示部１１０に表示されている操作子の例として、カメラのアイコンで規定された撮像ボタン１３１、１３２が示されている。この撮像ボタン１３１、１３２は撮像処理を実行するためのボタンであるが、特定の条件を満たしている場合は、撮像処理とは異なる処理を実行するためのボタンである。以下、図８及び図９を用いて本開示の一実施形態に係る撮像装置１００の動作例について説明する。
【００６９】
図８に示した流れ図で、図４に示した流れ図と異なる点は、撮像者がＥＥ画をタッチした場合に、タッチによりどのＥＥ画が選択されたのかを記憶する点（ステップＳ１２３）と、選択されたＥＥ画に対応する画像を、撮像者にタッチされた撮像ボタンに紐付く設定で撮像処理を実行する点（ステップＳ１２８）である。
【００７０】
撮像装置１００は、撮像者による操作を検出し（ステップＳ１２１）、その操作がＥＥ画のタッチであるかどうかを判断し（ステップＳ１２２）、ＥＥ画のタッチであれば、タッチによりどのＥＥ画が選択されたのかを記憶するように制御部１１６で制御する（ステップＳ１２３）。その後は、図４に示した処理と同様に、撮像装置１００は、撮像者にタッチされた位置にフォーカスを合わせ（ステップＳ１２４）、時間の計測を開始する（ステップＳ１２５）。
【００７１】
一方、撮像者による操作がＥＥ画のタッチで無ければ、続いて撮像装置１００は、撮像者によるその操作が撮像ボタン１３１、１３２のタッチかどうかを判断し（ステップＳ１２６）、撮像ボタン１３１、１３２のタッチであれば、上記ステップＳ１２５で時間計測が開始されてから所定時間内かどうかを制御部１１６で判断する（ステップＳ１２７）。ステップＳ１２７の判断の結果、上記ステップＳ１２５で時間計測が開始されてから所定時間内であると制御部１１６が判定すると、続いて撮像装置１００は、タッチされた撮像ボタン１３１、１３２に紐付く設定内容による撮像処理を上記ステップＳ１２３で記憶したＥＥ画に対応する撮像部１０２で実行するよう制御部１１６で制御する（ステップＳ１２８）。
【００７２】
一方、ステップＳ１２７の判断の結果、上記ステップＳ１２５で時間計測が開始されていない、または開始されていても、開始から所定時間内では無いと制御部１１６が判定すると、続いて撮像装置１００は、設定項目のメニューを表示部１１０に開くように制御部１１６で制御する（ステップＳ１２９）。撮像装置１００の撮像者は、ステップＳ１２９で表示部１１０に表示された設定項目のメニューに対して操作することで、設定項目を設定することができる（ステップＳ１３０）。続いて撮像装置１００は、表示部１１０に表示された撮像ボタン１３１、１３２が撮像者にタッチされるまで待機し（ステップＳ１３１）、撮像者からの入力部１２６に対する操作が表示部１１０に表示されている撮像ボタン１３１、１３２のタッチであれば、撮像装置１００は、表示部１１０に表示されている設定項目のメニューを閉じるよう制御部１１６で制御すると共に、設定項目に応じて、撮像ボタン１３１、１３２に紐付けられた設定項目を更新するよう制御部１１６で制御する（ステップＳ１３２）。
【００７３】
上記ステップＳ１２６での判断の結果、撮像者からの入力部１２６に対する操作が表示部１１０に表示されている撮像ボタン１３１、１３２のタッチで無かった場合、上記ステップＳ１２８の撮像処理が終了した場合、または上記ステップＳ１３２の更新処理が終了した場合は、撮像装置１００は、上記ステップＳ１２５で時間の計測を開始していれば、時間の計測を終了するように制御部１１６で制御する（ステップＳ１３３）。
【００７４】
図９には、表示部１１０に、２つのＥＥ画（ＥＥ画Ａ、ＥＥ画Ｂ）と、２つの撮像ボタン１３１、１３２とが表示されている状態を示したものである。撮像者は、２つのＥＥ画のうちいずれか一方のＥＥ画をタッチなどで選択することでそのＥＥ画に対応する画像を撮像することができる。また撮像者は、撮像の際に、撮像ボタン１３１、１３２のうちいずれか一方をタッチなどで選択することでその撮像ボタンに紐付く撮像条件による撮像処理を撮像装置１００に実行させることができる。
【００７５】
ここまでの例では、撮像装置１００が、表示部１１０に２つの撮像ボタン１３１、１３２を表示させる場合について示したが、本開示はかかる例に限定されるものではない。ただ、表示部１１０の画面サイズの制約上、撮像ボタンが例えば３つ以上表示できない場合もある。そのような場合は、撮像装置１００は撮像ボタンを表示する表示部１１０の領域をスクロール可能としてもよい。
【００７６】
図１０及び図１１は、本開示の一実施形態に係る撮像装置１００の動作例を示す流れ図である。また、図１２は、本開示の一実施形態に係る撮像装置１００の表示部１１０に表示される画面の例を示す説明図である。図１０及び図１１には、撮像装置１００の表示部１１０に操作子を表示させ、その操作子に対して撮像者から操作入力があった場合の、撮像装置１００の動作例が示されている。そして図１２には、表示部１１０に表示されている操作子の例として、カメラのアイコンで規定された撮像ボタン１３１、１３２、１３３が示されている。この撮像ボタン１３１、１３２、１３３は撮像処理を実行するためのボタンであるが、特定の条件を満たしている場合は、撮像処理とは異なる処理を実行するためのボタンである。また図１２に示したのは、撮像ボタンは同時に２つまでしか表示部１１０に表示できない場合の表示例である。以下、図１０〜１２を用いて本開示の一実施形態に係る撮像装置１００の動作例について説明する。
【００７７】
図１０及び図１１に示した流れ図で、図４に示した流れ図と異なる点は、撮像者が撮像ボタンをスライドさせる動作を撮像装置１００が検出する点（ステップＳ１５３）および撮像者による撮像ボタンをスライドさせる動作に応じて撮像装置１００が撮像ボタンをスライドさせる点（ステップＳ１５４）である。
【００７８】
撮像装置１００は、撮像者による操作を検出し（ステップＳ１４１）、その操作がＥＥ画のタッチであるかどうかを判断し（ステップＳ１４２）、ＥＥ画のタッチであれば、図４に示した処理と同様に、撮像装置１００は、撮像者にタッチされた位置にフォーカスを合わせ（ステップＳ１４３）、時間の計測を開始する（ステップＳ１４４）。
【００７９】
一方、撮像者による操作がＥＥ画のタッチで無ければ、続いて撮像装置１００は、撮像者によるその操作が撮像ボタン１３１、１３２、１３３のタッチかどうかを判断し（ステップＳ１４５）、撮像ボタン１３１、１３２、１３３のタッチであれば、上記ステップＳ１４４で時間計測が開始されてから所定時間内かどうかを制御部１１６で判断する（ステップＳ１４６）。ステップＳ１４６の判断の結果、上記ステップＳ１４４で時間計測が開始されてから所定時間内であると制御部１１６が判定すると、続いて撮像装置１００は、タッチされた撮像ボタン１３１、１３２、１３３に紐付く設定内容による撮像処理を実行するよう制御部１１６で制御する（ステップＳ１４７）。
【００８０】
一方、ステップＳ１４６の判断の結果、上記ステップＳ１４４で時間計測が開始されていない、または開始されていても、開始から所定時間内では無いと制御部１１６が判定すると、続いて撮像装置１００は、設定項目のメニューを表示部１１０に開くように制御部１１６で制御する（ステップＳ１４８）。撮像装置１００の撮像者は、ステップＳ１４８で表示部１１０に表示された設定項目のメニューに対して操作することで、設定項目を設定する（ステップＳ１４９）。続いて撮像装置１００は、表示部１１０に表示された撮像ボタン１３１、１３２、１３３が撮像者にタッチされるまで待機し（ステップＳ１５０）、撮像者からの入力部１２６に対する操作が表示部１１０に表示されている撮像ボタン１３１、１３２、１３３のタッチであれば、撮像装置１００は、表示部１１０に表示されている設定項目のメニューを閉じるよう制御部１１６で制御すると共に、設定項目に応じて、撮像ボタン１３１、１３２、１３３に紐付けられた設定項目を更新するよう制御部１１６で制御する（ステップＳ１５１）。
【００８１】
また、上記ステップＳ１４５での判断の結果、撮像者からの入力部１２６に対する操作が表示部１１０に表示されている撮像ボタン１３１、１３２、１３３のタッチで無かった場合は、撮像装置１００は、撮像者からの入力部１２６に対する操作が、表示部１１０に表示されている撮像ボタン１３１、１３２、１３３のスライド操作であるかを制御部１１６で判断する（ステップＳ１５３）。
【００８２】
上記ステップＳ１５２の判断の結果、撮像者からの入力部１２６に対する操作が、表示部１１０に表示されている撮像ボタン１３１、１３２、１３３のスライド操作であれば、撮像装置１００は、表示部１１０に表示されている撮像ボタン１３１、１３２、１３３をスライドさせるような表示を制御部１１６で制御する（ステップＳ１５４）。
【００８３】
上記ステップＳ１５２での判断の結果、撮像者からの入力部１２６に対する操作が表示部１１０に表示されている撮像ボタン１３１、１３２、１３３のスライド操作で無かった場合、上記ステップＳ１４７の撮像処理が終了した場合、または上記ステップＳ１５１の更新処理が終了した場合は、撮像装置１００は、上記ステップＳ１４４で時間の計測を開始していれば、時間の計測を終了するように制御部１１６で制御する（ステップＳ１５２）。
【００８４】
図１２には、表示部１１０に表示される撮像ボタン１３１、１３２、１３３のスライド表示の例が示されている。撮像ボタン１３１、１３２、１３３として表示されているアイコンそのもの、又はアイコンの周囲のスライド操作により、制御部１１６は、アイコンのスクロール表示を制御する。このようにアイコンのスクロール表示を制御することで、撮像装置１００は、表示部１１０に一度に表示できない数の撮像ボタンがあっても、撮像者に操作を可能とさせることができる。
【００８５】
なお、表示部１１０に表示される撮像ボタンだけでなく、ＥＥ画もスクロール可能としてもよい。ＥＥ画をスクロール可能とすることで、表示部１１０に複数のＥＥ画を同時に表示できない場合であっても、撮像装置１００は、図８に示したような動作を実行することができる。
【００８６】
図１３は、本開示の一実施形態に係る撮像装置１００の表示部１１０に表示される画面の例を示す説明図である。図１３に示したのは、ＥＥ画は同時に１つまでしか表示部１１０に表示できない場合の表示例である。撮像者が、表示部１１０に表示されるＥＥ画に対し、タッチではなくスライド操作を実行すると、制御部１１６は、図１２に示した撮像ボタンのスライドと同様に、ＥＥ画をスライド表示させるように制御する。
【００８７】
次に、撮像装置１００を用いて連写による静止画の撮像を実行する、または動画の録画を実行する場合の撮像装置１００の動作例について説明する。今まで説明したように、撮像ボタンに撮像条件を紐付けたことにより、その撮像ボタンとして表示されているアイコンの表示を変化させると、撮像装置１００は、どの撮像ボタンによる撮像処理が実行されているのかを、また連写処理や動画撮像処理の実行中か否かを撮像者に分かりやすく提示することができる。
【００８８】
図１４及び図１５は、本開示の一実施形態に係る撮像装置１００の動作例を示す流れ図である。また、図１６は、本開示の一実施形態に係る撮像装置１００の表示部１１０に表示される画面の例を示す説明図である。図１４及び図１５には、撮像装置１００の表示部１１０に操作子を表示させ、その操作子に対して撮像者から操作入力があった場合の、撮像装置１００の動作例が示されている。そして図１６には、表示部１１０に表示されている操作子の例として、カメラのアイコンで規定された撮像ボタン１３１、１３２が示されている。この撮像ボタン１３１、１３２は撮像処理を実行するためのボタンであるが、特定の条件を満たしている場合は、撮像処理とは異なる処理を実行するためのボタンである。以下、図１４〜１６を用いて本開示の一実施形態に係る撮像装置１００の動作例について説明する。
【００８９】
図１４及び図１５に示した流れ図で、図４に示した流れ図と異なる点は、撮像者が撮像ボタンにタッチすることで撮像装置１００が連写による静止画の撮像を実行する、または動画の録画を実行する場合に、撮像ボタン１３１、１３２の表示を変更する点（ステップＳ１７３）である。
【００９０】
撮像装置１００は、撮像者による操作を検出し（ステップＳ１６１）、その操作がＥＥ画のタッチであるかどうかを判断し（ステップＳ１６２）、ＥＥ画のタッチであれば、図４に示した処理と同様に、撮像装置１００は、撮像者にタッチされた位置にフォーカスを合わせ（ステップＳ１６３）、時間の計測を開始する（ステップＳ１６４）。
【００９１】
一方、撮像者による操作がＥＥ画のタッチで無ければ、続いて撮像装置１００は、撮像者によるその操作が撮像ボタン１３１、１３２のタッチかどうかを判断し（ステップＳ１６５）、撮像ボタン１３１、１３２のタッチであれば、上記ステップＳ１６４で時間計測が開始されてから所定時間内かどうかを制御部１１６で判断する（ステップＳ１６６）。ステップＳ１６６の判断の結果、上記ステップＳ１６４で時間計測が開始されてから所定時間内であると制御部１１６が判定すると、続いて撮像装置１００は、タッチされた撮像ボタン１３１、１３２に紐付く設定内容による連写、または動画撮像処理を実行するよう制御部１１６で制御する（ステップＳ１６７）。
【００９２】
連写、または動画撮像処理が実行されると、続いて撮像装置１００は、撮像ボタン１３１、１３２の表示を連写中、または録画中の状態に変化させるよう制御部１１６で制御する（ステップＳ１７３）。そして撮像装置１００は、撮像者による撮像ボタン１３１、１３２へのタッチがあるまで待機し（ステップＳ１７４）、撮像者による撮像ボタン１３１、１３２へのタッチがあると、撮像装置１００は、撮像ボタン１３１、１３２の表示を連写終了、または録画終了の状態（つまり、通常の状態）に変化させるよう制御部１１６で制御し、連写処理、または録画処理を終了するように制御部１１６で制御する（ステップＳ１７５）。
【００９３】
一方、ステップＳ１６６の判断の結果、上記ステップＳ１６４で時間計測が開始されていない、または開始されていても、開始から所定時間内では無いと制御部１１６が判定すると、続いて撮像装置１００は、設定項目のメニューを表示部１１０に開くように制御部１１６で制御する（ステップＳ１６８）。撮像装置１００の撮像者は、ステップＳ１６８で表示部１１０に表示された設定項目のメニューに対して操作することで、設定項目を設定する（ステップＳ１６９）。続いて撮像装置１００は、表示部１１０に表示された撮像ボタン１３１、１３２が撮像者にタッチされるまで待機し（ステップＳ１７０）、撮像者からの入力部１２６に対する操作が表示部１１０に表示されている撮像ボタン１３１、１３２のタッチであれば、撮像装置１００は、表示部１１０に表示されている設定項目のメニューを閉じるよう制御部１１６で制御すると共に、設定項目に応じて、撮像ボタン１３１、１３２に紐付けられた設定項目を更新するよう制御部１１６で制御する（ステップＳ１７１）。
【００９４】
上記ステップＳ１６５での判断の結果、撮像者からの入力部１２６に対する操作が表示部１１０に表示されている撮像ボタン１３１、１３２のタッチで無かった場合、上記ステップＳ１７１の更新処理が終了した場合、または上記ステップＳ１７５の連写処理、または録画処理が終了した場合は、撮像装置１００は、上記ステップＳ１６４で時間の計測を開始していれば、時間の計測を終了するように制御部１１６で制御する（ステップＳ１７２）。
【００９５】
図１６を用いて、本開示の一実施形態にかかる撮像装置１００で連写処理を実行する際の撮像ボタン１３１の表示について説明する。撮像者がＥＥ画をタッチした後に、連写処理を実行するように予め設定された撮像ボタン１３１をタッチすると、撮像装置１００で連写処理が実行される。この際に本開示の一実施形態にかかる撮像装置１００は、図１６に示したように、表示部１１０に表示される撮像ボタン１３１にＥＥ画を重畳して、ＥＥ画を表示していた領域に、撮像処理によって得られる画像（レビュー画）を表示するように制御部１１６で制御する。そして、撮像装置１００は、連写処理を実行している際に、撮像者によって撮像ボタン１３１がタッチされたことを検出すると、撮像装置１００は連写処理を終了するように制御部１１６で制御する。そして本開示の一実施形態にかかる撮像装置１００は、連写処理を終了すると、撮像ボタン１３１へのＥＥ画の重畳を止めるように制御部１１６で制御する。
【００９６】
図１６に示したように、撮像ボタン１３１の表示状態を変更させることで、本開示の一実施形態にかかる撮像装置１００は、連写処理の実行中か否かを撮像者に分かりやすく提示することができる。
【００９７】
なお、上述の例では、撮像者が、連写処理を実行するように設定した撮像ボタン１３１をタッチすることで連写処理を開始し、連写処理の実行中に撮像者が撮像ボタン１３１をタッチすることで連写処理を終了させていたが、本開示はかかる例に限定されるものではない。
【００９８】
図１７は、本開示の一実施形態に係る撮像装置１００の表示部１１０に表示される画面の例を示す説明図である。図１７では、撮像者が、連写処理を実行するように設定した撮像ボタン１３１をタッチし続けることで撮像装置１００に連写処理を実行させる場合の表示例が示されている。なお、図１７のように、撮像ボタン１３１をタッチし続けることで撮像装置１００に連写処理を実行させる場合は、撮像装置１００は、撮像ボタン１３１の表示を変更させなくても良い。
【００９９】
図１８は、本開示の一実施形態に係る撮像装置１００の表示部１１０に表示される画面の例を示す説明図である。図１８では、撮像者が、動画像の録画処理を実行するように設定した撮像ボタン１３２をタッチすることで録画処理を開始し、録画処理の実行中に撮像者が撮像ボタン１３２をタッチすることで録画処理を終了させる場合の表示例が示されている。
【０１００】
図１８に示したように、撮像者がＥＥ画をタッチした後に、動画像の録画処理を実行するように予め設定された撮像ボタン１３２をタッチすると、撮像装置１００は録画処理を実行する。この際に本開示の一実施形態にかかる撮像装置１００は、図１８に示したように、表示部１１０に表示される撮像ボタン１３２にＥＥ画を重畳して、ＥＥ画を表示していた領域に、撮像処理によって得られる画像（記録画）を表示するように制御部１１６で制御する。そして、撮像装置１００が録画処理を実行している際に、撮像者が撮像ボタン１３２をタッチすると、撮像装置１００は録画処理を終了するように制御部１１６で制御する。そして撮像装置１００は、録画処理を終了すると、撮像ボタン１３２へのＥＥ画の重畳を止めるように制御部１１６で制御する。
【０１０１】
図１８に示したように、撮像ボタン１３２の表示状態を変更させることで、本開示の一実施形態にかかる撮像装置１００は、動画像の録画処理の実行中か否かを撮像者に分かりやすく提示することができる。
【０１０２】
なお、上述の例では、撮像者が、動画像の録画処理を実行するように設定した撮像ボタン１３２をタッチすることで動画像の録画処理を開始し、動画像の録画処理の実行中に撮像者が撮像ボタン１３２をタッチすることで動画像の録画処理を終了させていたが、本開示はかかる例に限定されるものではない。
【０１０３】
図１９は、本開示の一実施形態に係る撮像装置１００の表示部１１０に表示される画面の例を示す説明図である。図１９では、撮像者が、動画像の録画処理を実行するように設定した撮像ボタン１３２をタッチし続けることで撮像装置１００に動画像の録画処理を実行させる場合の表示例が示されている。なお、図１９のように、撮像ボタン１３２をタッチし続けることで撮像装置１００に動画像の録画処理を実行させる場合は、撮像装置１００は、撮像ボタン１３２の表示を変更させなくても良い。
【０１０４】
本開示の一実施形態にかかる撮像装置１００は、撮像ボタンに撮像条件を対応させることができるが、その撮像条件の設定内容に応じて、表示部１１０に表示させる撮像ボタンの表示を変更しても良い。
【０１０５】
図２０は、本開示の一実施形態に係る撮像装置１００の表示部１１０に表示される撮像ボタン１３１、１３２の表示例を示す説明図である。例えば、撮像装置１００は、撮像ボタン１３１、１３２の表示に際し、アイコンをアニメーションさせる（一番左）、アイコン全体の色を変える（左から２番目）、アイコンの一部の色を変える（左から３番目）、アイコン全体を点滅させる（左から４番目）、アイコンの一部を点滅させる（左から５番目）、アイコンにＥＥ画を表示させる（一番右）などして、表示部１１０に表示させる撮像ボタンの表示を変更しても良い。
【０１０６】
図２１は、本開示の一実施形態に係る撮像装置１００の表示部１１０に表示される撮像ボタン１３１、１３２の表示例を示す説明図である。例えば、撮像装置１００は、アイコンの付属の文字を変える（一番左）、アイコン自体の色を変える（中央）、別のアイコンを付加する（中央）、アイコンの大きさを変える（一番右）などして、表示部１１０に表示させる撮像ボタンの表示を変更しても良い。
【０１０７】
本開示の一実施形態に係る撮像装置１００は、撮影条件の設定項目を様々な形式で表示部１１０に表示させても良い。図２２は、本開示の一実施形態に係る撮像装置１００が表示部１１０に表示させる撮影条件の設定項目の例である。図２２に示したように、本開示の一実施形態に係る撮像装置１００は、設定可能な項目だけ表示してもよく（左上および右上）、すべての項目を表示し、設定可能な項目を文字色や背景色を変えるなどで示してもよい（左下および右下）。なお本開示の一実施形態に係る撮像装置１００は、撮影自体や、撮影条件の設定自体に入るための操作も、任意に設定することが可能である。
【０１０８】
本開示の一実施形態に係る撮像装置１００は、上述してきたように、静止画像を撮像するための撮像ボタン１３１と、動画像を撮像するための撮像ボタン１３２とでアイコンの形状を変化させていたが、アイコンの形状は上述の説明に用いた図面で示されるものに限定されないことは言うまでもない。
【０１０９】
図２３は、本開示の一実施形態に係る撮像装置１００の表示部１１０に表示される撮像ボタン１３１、１３２の表示例を示す説明図である。図２３の上段は、静止画像を撮像するための撮像ボタン１３１のアイコンの例を示したものであり、下段は動画像を撮像するための撮像ボタン１３２のアイコンの例を示したものである。
【０１１０】
図２３の上段の一番左は、撮像ボタン１３１をカメラの形状のアイコンで示している。図２３の上段の中央は、撮像ボタン１３１を静止画像（または静止画像のサムネイル画像）で示している。図２３の上段の一番右は、撮像ボタン１３１を、静止画像が格納されるフォルダの形状のアイコンで示している。
【０１１１】
図２３の下段の一番左は、撮像ボタン１３２を、静止画の場合とは異なるカメラの形状のアイコンで示している。図２３の下段の中央は、撮像ボタン１３２を動画像のある一コマの画像（または動画像のある一コマの画像のサムネイル画像）で示している。図２３の下段の一番右は、撮像ボタン１３２を、動画像が格納されるフォルダの形状のアイコンで示している。
【０１１２】
本開示の一実施形態にかかる撮像装置１００は、撮像者が、表示部１１０に表示されたＥＥ画をタッチしてから所定時間を超えた後に撮像ボタン１３１、１３２をタッチすると、表示部１１０に設定項目を表示させて、撮像者に撮像条件の設定を変更可能にさせていたが、撮像条件の表示のみを実行するように制御部１１６に制御させてもよい。
【０１１３】
図２４は、本開示の一実施形態に係る撮像装置１００の動作例を示す流れ図である。また、図２５は、本開示の一実施形態に係る撮像装置１００の表示部１１０に表示される画面の例を示す説明図である。図２４には、撮像装置１００の表示部１１０に操作子を表示させ、その操作子に対して撮像者から操作入力があった場合の、撮像装置１００の動作例が示されている。そして図２５には、表示部１１０に表示されている操作子の例として、カメラのアイコンで規定された撮像ボタン１３１が示されている。この撮像ボタン１３１は撮像処理を実行するためのボタンであるが、特定の条件を満たしている場合は、撮像処理とは異なる処理を実行するためのボタンである。以下、図２４、２５を用いて本開示の一実施形態に係る撮像装置１００の動作例について説明する。
【０１１４】
図２４に示した流れ図で、図４に示した流れ図と異なる点は、撮像者がＥＥ画にタッチした後所定時間を超えて撮像ボタンにタッチすると、撮像装置１００は、撮像条件の表示のみを実行する点（ステップＳ１８８）である。
【０１１５】
撮像装置１００は、撮像者による操作を検出し（ステップＳ１８１）、その操作がＥＥ画のタッチであるかどうかを判断し（ステップＳ１８２）、ＥＥ画のタッチであれば、図４に示した処理と同様に、撮像装置１００は、撮像者にタッチされた位置にフォーカスを合わせ（ステップＳ１８３）、時間の計測を開始する（ステップＳ１８４）。
【０１１６】
一方、撮像者による操作がＥＥ画のタッチで無ければ、続いて撮像装置１００は、撮像者によるその操作が撮像ボタン１３１のタッチかどうかを判断し（ステップＳ１８５）、撮像ボタン１３１のタッチであれば、上記ステップＳ１８４で時間計測が開始されてから所定時間内かどうかを制御部１１６で判断する（ステップＳ１８６）。ステップＳ１８６の判断の結果、上記ステップＳ１８４で時間計測が開始されてから所定時間内であると制御部１１６が判定すると、続いて撮像装置１００は、タッチされた撮像ボタン１３１に紐付く設定内容による撮像処理を実行するよう制御部１１６で制御する（ステップＳ１８７）。
【０１１７】
一方、ステップＳ１８６の判断の結果、上記ステップＳ１８４で時間計測が開始されていない、または開始されていても、開始から所定時間内では無いと制御部１１６が判定すると、続いて撮像装置１００は、設定項目のメニューを表示部１１０に開くように制御部１１６で制御する（ステップＳ１８８）。続いて撮像装置１００は、入力部１２６に対する操作が行われるまで待機し（ステップＳ１８９）、撮像者からの入力部１２６に対する操作が行われたことを制御部１１６で検出すると、表示部１１０に表示されている設定項目のメニューを閉じるよう制御部１１６で制御する（ステップＳ１９０）。
【０１１８】
上記ステップＳ１８５での判断の結果、撮像者からの入力部１２６に対する操作が表示部１１０に表示されている撮像ボタン１３１のタッチで無かった場合、上記ステップＳ１９０の撮像条件の表示を閉じる処理が終了した場合、または上記ステップＳ１８７の撮像処理が終了した場合は、撮像装置１００は、上記ステップＳ１８４で時間の計測を開始していれば、時間の計測を終了するように制御部１１６で制御する（ステップＳ１９１）。
【０１１９】
図２５を用いて、撮像装置１００が撮像条件の表示のみを行う場合の画面遷移を説明する。撮像者がＥＥ画をタッチした後に、所定時間を超えてから撮像ボタン１３１をタッチすると、撮像ボタン１３１に紐付く撮像条件の表示処理が実行される。そして、撮像者が撮像ボタン１３１をタッチすると、撮像装置１００は、表示部１１０に表示させた撮像条件の表示を閉じるよう制御部１１６で制御する。そして、撮像者がＥＥ画をタッチした後に、所定時間以内に撮像ボタン１３１をタッチすると、撮像装置１００は、撮像ボタン１３１に紐付く撮像条件による撮像処理を実行するよう、制御部１１６で制御する。
【０１２０】
ここまでは、表示部１１０における右辺に沿って撮像ボタン１３１、１３２を表示させる例を説明したが、本開示は係る例に限定されるものではない。
【０１２１】
図２６Ａ〜図２６Ｄは、本開示の一実施形態に係る撮像装置１００の表示部１１０に表示される画面の例を示す説明図である。
【０１２２】
図２６Ａに示したのは、ここまで説明してきたように、表示部１１０における右辺に沿って撮像ボタン１３１、１３２を表示させる例である。このように撮像ボタン１３１、１３２を表示させると、撮像者が左利きの場合は撮像ボタン１３１、１３２に触り辛い。従って、撮像装置１００は、撮像ボタン１３１、１３２の表示位置を表示部１１０における左辺に沿って表示させるよう制御部１１６で制御しても良い。図２６Ｂに示したのは、表示部１１０における左辺に沿って撮像ボタン１３１、１３２を表示させる例である。
【０１２３】
また、ここまでの説明では、表示部１１０が横長の場合における表示例を示したが、撮像者が撮像装置１００の姿勢を変化させて、表示部１１０が縦長になった場合の表示例について説明する。
【０１２４】
図２６Ｃに示したのは、表示部１１０が縦長の場合における表示例である。表示部１１０が横長の場合は、ＥＥ画を縦長に表示させた上で、表示部１１０における右辺に沿って撮像ボタン１３１、１３２を表示させる。表示部１１０が縦長の場合においても、撮像者が左利きの場合は、上述のように、撮像装置１００は、撮像ボタン１３１、１３２の表示位置を表示部１１０における左辺に沿って表示させるよう制御部１１６で制御しても良い。図２６Ｄに示したのは、表示部１１０が縦長の場合において、表示部１１０における左辺に沿って撮像ボタン１３１、１３２を表示させる例である。
【０１２５】
ここまでの説明では、撮像装置１００は、表示部１１０に表示させた撮像ボタン１３１、１３２を撮像者に操作させることで、撮像条件の設定や撮像処理の実行を撮像者に行わせていたが、アイコンに対応するハードキーに、撮像条件の設定や撮像処理の実行の機能を持たせるようにしても良い。
【０１２６】
図２７は、本開示の一実施形態に係る撮像装置１００の表示部１１０に表示される画面の例を示す説明図である。図２７には、撮像ボタン１３１、１３２にそれぞれ対応する入力部１２６ａ、１２６ｂが撮像装置１００に設けられている様子も示している。
【０１２７】
上述してきた説明では、表示部１１０に表示されたＥＥ画を撮像者がタッチした後に、撮像ボタン１３１、１３２を撮像者がタッチすることで、撮像装置１００は、タッチのタイミングによって撮像処理を実行したり、撮像条件の設定項目のメニューを表示部１１０に表示させたりしていた。この撮像ボタン１３１、１３２のタッチに代えて、入力部１２６ａ、１２６ｂに対する入力操作が撮像者によって行われた場合であっても、撮像装置１００は、同様に入力操作のタイミングによって撮像処理を実行したり、撮像条件の設定項目のメニューを表示部１１０に表示させたりしてもよい。
【０１２８】
本開示の一実施形態にかかる撮像装置１００は、不揮発性記憶部１２２への動画像の記録中に、静止画像の撮像を行うことができる。撮像装置１００は、表示部１１０に表示させた撮像ボタンを撮像者にタッチさせることで、動画像の記録中に静止画像の撮像を容易に撮像者に行わせることができる。
【０１２９】
図２８は、本開示の一実施形態にかかる撮像装置１００が、動画像の記録中に静止画像を撮像する場合の例を示す説明図である。図２８には、撮像装置１００の表示部１１０に表示される画像の例を示すとともに、動画像の記録中に静止画像の撮像が行われる様子を時間軸で示している。
【０１３０】
撮像者が表示部１１０に表示されているＥＥ画をタッチし、所定時間以内に撮像ボタン１３２をタッチすると、撮像装置１００は、撮像ボタン１３２に紐付いた撮像条件による動画像の撮像処理を開始する。そして、撮像装置１００が動画像の撮像処理を実行している最中に、撮像者によって撮像ボタン１３１がタッチされると、撮像装置１００は、動画像の撮像処理を継続しつつ、撮像ボタン１３１に紐付いた撮像条件による静止画像の撮像処理を実行する。
【０１３１】
このように、本開示の一実施形態にかかる撮像装置１００は、複数の撮像ボタン１３１、１３２を撮像者にタッチさせることで、柔軟な撮影を可能とする。
【０１３２】
図２８では、動画像の記録中に静止画像を記録する場合を示したが、複数の動画像を並行して撮像する場合も同様に、本開示の一実施形態にかかる撮像装置１００は、複数の撮像ボタンを撮像者にタッチさせることで、柔軟な撮影を可能とする。
【０１３３】
図２９は、本開示の一実施形態にかかる撮像装置１００が、動画像の記録中に、さらに動画像を記録する場合の例を示す説明図である。図２９には、撮像装置１００の表示部１１０に表示される画像の例を示すとともに、動画像の記録中に、さらに動画像の記録が行われる様子を時間軸で示している。
【０１３４】
撮像者が表示部１１０に表示されているＥＥ画をタッチし、所定時間以内に撮像ボタン１３２ａをタッチすると、撮像装置１００は、撮像ボタン１３２ａに紐付いた撮像条件による動画像の撮像処理を開始する。そして、撮像装置１００が動画像の撮像処理を実行している最中に、撮像者によって撮像ボタン１３２ｂがタッチされると、撮像装置１００は、動画像の撮像処理を継続しつつ、撮像ボタン１３２ｂに紐付いた撮像条件による動画像の撮像処理を実行する。
【０１３５】
このように、本開示の一実施形態にかかる撮像装置１００は、複数の撮像ボタン１３２ａ、１３２ｂを撮像者にタッチさせることで、柔軟な撮影を可能とする。
【０１３６】
以上、本開示の一実施形態にかかる撮像装置１００の動作例について説明した。なお、上述の説明では、撮像装置１００を例にあげて説明したが、本開示は、撮像動作を制御することが出来る装置であればいずれの装置であっても適用可能である。そのような装置としては、例えばディスプレイ装置、画像記録装置、ゲーム機、パーソナルコンピュータ、ＰＤＡ、携帯型音楽再生装置その他の携帯端末がある。
【０１３７】
＜３．まとめ＞
以上説明したように、本開示の一実施形態にかかる撮像装置１００によれば、操作子として表示される撮像ボタンと、撮影条件の設定とを対応して表示部１１０に表示させることができる。撮像者は、表示部１１０に表示される撮像ボタンへのタッチ等によって、予め設定した撮像条件での撮像を容易に行うことができる。
【０１３８】
本開示の一実施形態にかかる撮像装置１００は、撮影時に操作する部分に、撮影条件や関連情報を併せて表示部１１０に表示させることができる。撮影条件や関連情報を併せて表示部１１０に表示させることで、撮像者に対してどの撮像条件に対応する撮像ボタンがどれであるかを容易に把握させることができる。
【０１３９】
本開示の一実施形態にかかる撮像装置１００は、複数の撮像ボタンを同時に表示部１１０に表示させることができる。撮像者は、撮影時に撮像ボタンをどれか選択するだけで、予め設定されている撮影条件の切り替えと撮影が同時にでき、動画記録中に違う大きさの動画の記録など複数の記録を独立して操作可能とすることもできる。
【０１４０】
また、本開示の一実施形態にかかる撮像装置１００は、撮像条件を設定するために特殊な操作を撮像者に求めることがないので、従来技術のような、タイミングの自由度が少ない撮影と個々の条件の項目選択を同時に行なう必要がない。
【０１４１】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０１４２】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０１４３】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４４】
なお、本技術は以下のような構成も取ることができる。
（１）
ユーザの操作を受け付ける操作子からの信号を受け付ける受付部と、
前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御部と、
を備える、撮像制御装置。
（２）
前記制御部は、異なる撮像条件が設定された複数の前記操作子を同時に表示部に表示させる、前記（１）に記載の撮像制御装置。
（３）
前記制御部は、撮像画像を表示部に表示させ、前記撮像画像に対する選択操作の後に前記操作子に対する前記第１の操作を受け付ける、前記（１）または（２）に記載の撮像制御装置。
（４）
前記制御部は、前記撮像画像を前記表示部に複数表示させ、前記撮像画像に対する選択操作の後に前記操作子に対する前記第１の操作を受け付けることで選択された前記撮像画像に対して前記操作子に対応する処理を実行する、前記（３）に記載の撮像制御装置。
（５）
前記制御部は、複数の前記撮像画像のいずれにも対応する複数の前記操作子を同時に前記表示部に表示させる、前記（４）に記載の撮像制御装置。
（６）
前記制御部は、前記第１の操作による撮像画像の記録の際に前記操作子の表示を変化させる、前記（１）〜（５）のいずれかに記載の情報処理装置。
（７）
前記制御部は、前記操作子をアイコンとして表示部に表示させる、前記（１）〜（６）のいずれかに記載の撮像制御装置。
（８）
ユーザの操作を受け付ける操作子からの信号を受け付ける受付ステップと、
前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御ステップと、
を備える、撮像制御方法。
（９）
コンピュータに、
ユーザの操作を受け付ける操作子からの信号を受け付ける受付ステップと、
前記操作子に対する第１の操作に基づいて所定の撮像条件での撮像画像の記録を制御し、前記操作子に対する第２の操作に基づいて前記撮像条件に関する選択の受付を開始し、前記第１の操作とは異なる第３の操作に基づいて前記選択の決定を行うように制御する制御ステップと、
を実行させる、コンピュータプログラム。
（１０）
ユーザの操作を受け付ける操作子からの信号を受け付ける受付部と、
前記操作子に対する第１の操作に基づいて所定の撮像条件での撮像画像の記録を制御し、前記操作子に対する第２の操作に基づいて、前記撮像条件を設定するためのメニューを前記操作子と対応づけて表示部に表示するように制御する制御部と、
を備える、撮像制御装置。
（１１）
前記制御部は、異なる撮像条件が設定された複数の前記操作子を同時に前記表示部に表示させる、前記（１０）に記載の撮像制御装置。
（１２）
前記制御部は、撮像画像を前記表示部に表示させ、前記撮像画像に対する選択操作の後に前記操作子に対する前記第１の操作を受け付ける、前記（１０）または（１１）に記載の撮像制御装置。
（１３）
前記制御部は、前記操作子をアイコンとして前記表示部に表示させる、前記（１０）〜（１２）のいずれかに記載の撮像制御装置。
（１４）
ユーザの操作を受け付ける操作子からの信号を受け付ける受付ステップと、
前記操作子に対する第１の操作に基づいて所定の撮像条件での撮像画像の記録を制御し、前記操作子に対する第２の操作に基づいて、前記撮像条件を設定するためのメニューを前記操作子と対応づけて表示部に表示するように制御する制御ステップと、
を備える、撮像制御方法。
（１５）
ユーザの操作を受け付け、それぞれ異なる撮像条件で撮像画像の記録を制御するための複数の操作子からの信号を受け付ける受付部と、
複数の撮像画像を表示部に表示し、前記表示部に表示される撮像画像が選択された後に前記操作子に対する第１の操作を受け付けると、選択された該撮像画像に対して前記第１の操作を受け付けた前記操作子に対応する処理を行うように制御する制御部と、
を備える、撮像制御装置。
（１６）
ユーザの操作を受け付け、それぞれ異なる撮像条件で撮像画像の記録を制御するための複数の操作子からの信号を受け付ける受付ステップと、
複数の撮像画像を表示部に表示し、前記表示部に表示される撮像画像が選択された後に前記操作子に対する第１の操作を受け付けると、選択された該撮像画像に対して前記第１の操作を受け付けた前記操作子に対応する処理を行うように制御する制御ステップと、
を備える、撮像制御方法。
【符号の説明】
【０１４５】
１００    撮像装置
１０２    撮像部
１０４    撮像素子Ｉ／Ｆ
１０６    信号処理前処理部
１０８    信号処理部
１１０    表示部
１１２    表示処理部
１１４    姿勢検出部
１１６    制御部
１１８    揮発性記憶部
１２０    不揮発性記憶Ｉ／Ｆ
１２２    不揮発性記憶部
１２４    入力処理部
１２６    入力部
【図１】
2014036246.tif 000003
【図２Ａ】
2014036246.tif 000004
【図２Ｂ】
2014036246.tif 000005
【図２Ｃ】
2014036246.tif 000006
【図３】
2014036246.tif 000007
【図４】
2014036246.tif 000008
【図５】
2014036246.tif 000009
【図６】
2014036246.tif 000010
【図７Ａ】
2014036246.tif 000011
【図７Ｂ】
2014036246.tif 000012
【図７Ｃ】
2014036246.tif 000013
【図７Ｄ】
2014036246.tif 000014
【図７Ｅ】
2014036246.tif 000015
【図８】
2014036246.tif 000016
【図９】
2014036246.tif 000017
【図１０】
2014036246.tif 000018
【図１１】
2014036246.tif 000019
【図１２】
2014036246.tif 000020
【図１３】
2014036246.tif 000021
【図１４】
2014036246.tif 000022
【図１５】
2014036246.tif 000023
【図１６】
2014036246.tif 000024
【図１７】
2014036246.tif 000025
【図１８】
2014036246.tif 000026
【図１９】
2014036246.tif 000027
【図２０】
2014036246.tif 000028
【図２１】
2014036246.tif 000029
【図２２】
2014036246.tif 000030
【図２３】
2014036246.tif 000031
【図２４】
2014036246.tif 000032
【図２５】
2014036246.tif 000033
【図２６Ａ】
2014036246.tif 000034
【図２６Ｂ】
2014036246.tif 000035
【図２６Ｃ】
2014036246.tif 000036
【図２６Ｄ】
2014036246.tif 000037
【図２７】
2014036246.tif 000038
【図２８】
2014036246.tif 000039
【図２９】
2014036246.tif 000040